【手続補正書】
【提出日】平成31年3月7日(2019.3.7)
【手続補正１】
【補正対象書類名】明細書
【補正対象項目名】発明の名称
【補正方法】変更
【補正の内容】
【発明の名称】フラッシュバンド判定装置、その制御方法、およびプログラム
【手続補正２】
【補正対象書類名】明細書
【補正対象項目名】０００１
【補正方法】変更
【補正の内容】
【０００１】
本発明は、フラッシュバンド判定装置、その制御方法、およびプログラムに関し、特に、撮像の結果得られた画像に外部閃光に起因するフラッシュバンドが存在するか否かを判定する判定装置に関する。
【手続補正３】
【補正対象書類名】明細書
【補正対象項目名】０００９
【補正方法】変更
【補正の内容】
【０００９】
従って、本発明の目的は、常に精度よくフラッシュバンドを検出して、当該フラッシュバンドを補正することのできるフラッシュバンド判定装置、その制御方法、およびプログラムを提供することにある。
【手続補正４】
【補正対象書類名】明細書
【補正対象項目名】００１０
【補正方法】変更
【補正の内容】
【００１０】
上記の目的を達成するため、本発明によるフラッシュバンド判定装置は、撮像手段による撮像の結果得られた画像にフラッシュバンドが存在するかを判定するフラッシュバンド判定装置であって、連続して得られた複数の画像のそれぞれにおいて、輝度レベルが閾値レベルを超える領域であるフラッシュバンドの一部が存在するかを判定する判定処理を行う判定手段を有し、前記判定手段は、第１の画像の撮像後に、前記第１の画像を撮像する際の露出条件と異なる露出条件で第２の画像が撮像された場合、前記第１の画像に対する判定処理とは異なる判定処理を行うことを特徴とする。
【手続補正５】
【補正対象書類名】明細書
【補正対象項目名】００５６
【補正方法】削除
【補正の内容】
【手続補正６】
【補正対象書類名】明細書
【補正対象項目名】００５８
【補正方法】変更
【補正の内容】
【００５８】
例えば、上記の実施の形態の機能を制御方法として、この制御方法をフラッシュバンド判定装置に実行させるようにすればよい。また、上述の実施の形態の機能を有するプログラムをフラッシュバンド判定装置が備えるコンピュータに実行させるようにしてもよい。なお、制御プログラムは、例えば、コンピュータに読み取り可能な記録媒体に記録される。
【手続補正７】
【補正対象書類名】特許請求の範囲
【補正対象項目名】全文
【補正方法】変更
【補正の内容】
【特許請求の範囲】
【請求項１】
撮像手段による撮像の結果得られた画像にフラッシュバンドが存在するかを判定するフラッシュバンド判定装置であって、
連続して得られた複数の画像のそれぞれにおいて、輝度レベルが所定の閾値レベルを超える領域であるフラッシュバンドの一部が存在するかを判定する判定処理を行う判定手段を有し、
前記判定手段は、第１の画像の撮像後に、前記第１の画像を撮像する際の露出条件と異なる露出条件で第２の画像が撮像された場合、前記第１の画像に対する判定処理とは異なる判定処理を行うことを特徴とするフラッシュバンド判定装置。
【請求項２】
前記判定手段は前記画像のライン毎に得られた輝度レベルが前記所定の閾値レベルを超えるか否かを判定して、その判定の結果に応じて前記フラッシュバンドの一部が存在するかを判定することを特徴とする請求項１に記載のフラッシュバンド判定装置。
【請求項３】
前記判定手段は、前記第１の画像を撮像する際の露出条件と異なる露出条件で第２の画像が撮像された場合、前記第１の画像に対する判定処理で用いた前記閾値レベルを変更して、前記第２の画像に対する判定処理を行うことを特徴とする請求項１又は２に記載のフラッシュバンド判定装置。
【請求項４】
前記判定手段は、前記露出条件の変更に応じた光量の変化量に基づいて前記閾値レベルを変更することを特徴とする請求項１乃至３のいずれか１項に記載のフラッシュバンド判定装置。
【請求項５】
前記判定手段は、前記第１の画像に前記フラッシュバンドの一部が存在すると判定し、かつ前記第２の画像について前記第１の画像を撮像する際の露出条件と異なる露出条件で撮像が行われた場合に、前記閾値レベルを変更することを特徴とする請求項３又は４に記載のフラッシュバンド判定装置。
【請求項６】
前記判定手段は、前記第１の画像を撮像する際の露出条件と異なる露出条件で第２の画像が撮像された場合、前記第２の画像の輝度レベルを変更して、前記第２の画像に対する判定処理を行うことを特徴とする請求項１又は２に記載のフラッシュバンド判定装置。
【請求項７】
撮像手段による撮像の結果得られた画像にフラッシュバンドが存在するかを判定するフラッシュバンド判定装置であって、
連続して得られた複数の画像のそれぞれにおいて、フラッシュバンドの一部が存在するかを判定する判定処理を行う判定手段を有し、
前記判定手段は、第１の露出条件で第１の画像及び第２の画像を撮影した場合、前記第２の画像のうち第１の明るさの領域を前記フラッシュバンドの一部と判定せず、第１の露出条件で前記第１の画像を撮影し、前記第１の露出条件よりも低い露出である第２の露出条件で前記第２の画像を撮影した場合、前記第２の画像のうち、前記第１の明るさの領域を前記フラッシュバンドの一部と判定することを特徴とするフラッシュバンド判定装置。
【請求項８】
撮像手段による撮像の結果得られた画像にフラッシュバンドが存在するかを判定するフラッシュバンド判定装置であって、
連続して得られた複数の画像のそれぞれにおいて、フラッシュバンドの一部が存在するかを判定する判定処理を行う判定手段を有し、
前記判定手段は、第１の露出条件で前記第１の画像及び前記第２の画像を撮影した場合、前記第２の画像のうち第１の明るさの領域を前記フラッシュバンドの一部と判定し、第１の露出条件で前記第１の画像を撮影し、前記第１の露出条件よりも高い露出である第２の露出条件で前記第２の画像を撮影した場合、前記第２の画像のうち、前記第１の明るさの領域を前記フラッシュバンドの一部と判定しないことを特徴とするフラッシュバンド判定装置。
【請求項９】
前記露出条件は、前記撮像手段の撮像光学系の絞り値に基づくことを特徴とする請求項１乃至６のいずれか１項に記載のフラッシュバンド判定装置。
【請求項１０】
前記露出条件は、前記撮像手段による撮像におけるＮＤフィルタのパラメータ、シャッタースピード、画像の輝度レベルの少なくとも１つに基づくことを特徴とする請求項１乃至６のいずれか１項に記載のフラッシュバンド判定装置。
【請求項１１】
前記露出条件として、前記撮像手段の撮像素子のゲインを用いることを特徴とする請求項１乃至６のいずれか１項に記載のフラッシュバンド判定装置。
【請求項１２】
前記撮像手段を有することを特徴とする請求項１乃至１１のいずれか１項に記載のフラッシュバンド判定装置。
【請求項１３】
前記撮像手段は、１ラインごとに順次画素信号の読み出しを行うことを特徴とする請求項１２に記載のフラッシュバンド判定装置。
【請求項１４】
前記撮像手段は、ローリングシャッタ方式で動作することを特徴とする請求項１２に記載のフラッシュバンド判定装置。
【請求項１５】
撮像手段による撮像の結果得られた画像にフラッシュバンドが存在するかを判定するフラッシュバンド判定装置の制御方法であって、
連続して得られた複数の画像のそれぞれにおいて、輝度レベルが閾値レベルを超える領域であるフラッシュバンドの一部が存在するかを判定する判定処理を行う判定ステップを有し、
前記判定ステップでは、第１の画像の撮像後に、前記第１の画像を撮像する際の露出条件と異なる露出条件で第２の画像が撮像された場合、前記第１の画像に対する判定処理とは異なる判定処理を行うことを特徴とする制御方法。
【請求項１６】
撮像手段による撮像の結果得られた画像にフラッシュバンドが存在するかを判定するフラッシュバンド判定装置の制御方法であって、
連続して得られた複数の画像のそれぞれにおいて、フラッシュバンドの一部が存在するかを判定する判定処理を行う判定ステップを有し、
前記判定ステップでは、第１の露出条件で第１の画像及び第２の画像を撮影した場合、前記第２の画像のうち第１の明るさの領域を前記フラッシュバンドの一部と判定せず、第１の露出条件で前記第１の画像を撮影し、前記第１の露出条件よりも低い露出である第２の露出条件で前記第２の画像を撮影した場合、前記第２の画像のうち、前記第１の明るさの領域を前記フラッシュバンドの一部と判定することを特徴とする制御方法。
【請求項１７】
撮像手段による撮像の結果得られた画像にフラッシュバンドが存在するかを判定するフラッシュバンド判定装置の制御方法であって、
連続して得られた複数の画像のそれぞれにおいて、フラッシュバンドの一部が存在するかを判定する判定処理を行う判定ステップを有し、
前記判定ステップでは、第１の露出条件で前記第１の画像及び前記第２の画像を撮影した場合、前記第２の画像のうち第１の明るさの領域を前記フラッシュバンドの一部と判定し、第１の露出条件で前記第１の画像を撮影し、前記第１の露出条件よりも高い露出である第２の露出条件で前記第２の画像を撮影した場合、前記第２の画像のうち、前記第１の明るさの領域を前記フラッシュバンドの一部と判定しないことを特徴とする制御方法。
【請求項１８】
請求項１乃至１４のいずれか１項に記載のフラッシュバンド判定装置の手段をコンピュータに実行させるためのコンピュータに読み取り可能なプログラム。